(57)【要約】【課題】申込者が入力端末を利用して申込情報などを登録する際に、ユニーク情報と光学読取コードを併用する申込書の申し込み・登録方法を提供する。【解決手段】登録側が、申込情報を入力するための申込情報入力画面を提供するステップと、申込側が入力端末に申込情報入力画面を表示し、申込情報を入力するステップと、入力された申込情報の一部と画面に付与され画面では不可視のユニーク情報を暗号化するステップと、前記暗号化情報を光学読取コードに変換して入力画面に表示するステップと、光学読取コード化情報を含む申込情報を記録媒体にプリントするステップと、プリントされた申込書を登録側に送付するステップと、登録側が確認端末の光学読取手段によって送付された申込書の光学読取コード化情報を読み取って入力画面を再現し、申込情報を確認する際に、画面に表示されたユニーク情報と、申込書にプリントされたユニーク情報を照合する。【選択図】  図１
2006146334.tif 000002
【特許請求の範囲】
【請求項１】
電子フォームによる申込情報入力画面を提供し、申込側における申込情報の入力時の表示画面での改竄による成りすましを防止する申込書の申し込み・登録方法であって、
登録側が、申込情報を入力するための申込情報入力画面を提供するステップと、
申込側が入力端末に申込情報入力画面を表示し、申込情報を入力するステップと、
入力された申込情報の一部と画面に付与され画面では不可視のユニーク情報を暗号化するステップと、前記暗号化情報を光学読取コードに変換して入力画面に表示するステップと、光学読取コード化情報を含む申込情報を記録媒体にプリントするステップと、プリントされた申込書を登録側に送付するステップと、
登録側が確認端末の光学読取手段によって送付された申込書の光学読取コード化情報を読み取って入力画面を再現し、申込情報を確認する際に、画面に表示されたユニーク情報と、申込書にプリントされたユニーク情報を照合することを特徴とする申込書の申し込み・登録方法。
【請求項２】
請求項１に記載の申込書の申し込み・登録方法において、
入力画面に付与されるユニーク情報は、画面に付与されるユニーク情報と、日付情報の何れかまたは両方で、申込情報入力画面には表示されないことを特徴とする申込書の申し込み・登録方法。
【請求項３】
請求項２に記載の申込書の申し込み・登録方法において、
入力画面に付与されるユニーク情報は、記録媒体の所定の位置に可読な文字情報としてプリントされることを特徴とする申込書の申し込み・登録方法。
【請求項４】
請求項１〜３何れか１項に記載の申込書の申し込み・登録方法において、光学読取コードは、二次元コードであることを特徴とする申込書の申し込み・登録方法。
【発明の詳細な説明】
【技術分野】
【０００１】
本発明は、申込者が入力端末の入力画面を利用して入力した申込情報などを登録する際に、ユニーク情報と光学読取コードを併用することにより、申込情報を改竄された状態で登録されることを防ぐ申込書の申し込み・登録方法に関する。
【背景技術】
【０００２】
クレジットカードなどの入会申し込みを行う方法として、クレジットカード会社が用意した入会申込用紙に必要事項を記載し、郵送して申し込む方法や、インターネットを利用し、クレジットカード会社のＨＰ（ホームページ）で入会申込書の画面を開き、通信端末からクレジット会社のサーバ経由で申し込む方法がある。
前記何れの場合も、クレジットカードで購入した商品の代金決済は、会員が指定した金融機関の引落し口座から支払われるために、申し込みに際しては口座開設時に届け出た印鑑の印影が必要となる。
一方、インターネットでの商取引でクレジットカードを利用する場合、事前に暗証番号を登録しておき、代金を支払う際に登録された暗証番号と入力された暗証番号を照合するという方法で本人を確認している。そのために、事前に暗証番号を登録しておく必要がある。
暗証番号は、利用者本人を証明する唯一の手段となっているために、登録する側も、登録を受ける側も漏洩や、盗用には万全の体制で対応している。
【０００３】
このような背景の中で、第三者に対して秘密性を確保した状態で伝達しなければならない暗証番号，電話番号などの情報を、表示装置あるいは申込用紙に表示する際にバーコードに変換して表示する技術が開示されている（例えば、特許文献１参照）。
【０００４】
【特許文献１】特開２００３−１５０７９７号公報
【発明の開示】
【発明が解決しようとする課題】
【０００５】
前述のような、電子フォームに入力された情報がバーコードに変換されて格納される方法は、紙にプリント出力された申込書記載内容を画面に表示したりそのまま登録する際に都合がよい。
しかし、入力情報をバーコードに変換し、変換されたバーコードをコピーし、別の情報が入力された入力画面にイメージ画像として貼付した場合でも、プリントされた文字情報と、その文字情報を変換したバーコードは、同一内容であるとして扱われてしまい、バーコード情報が優先的に扱われてしまう。
【課題を解決するための手段】
【０００６】
上記課題を解決するために、本発明の申込書の申し込み・登録方法の請求項１に記載の発明は、電子フォームによる申込情報入力画面を提供し、申込側における申込情報の入力時の表示画面での改竄による成りすましを防止する申込書の申し込み・登録方法であって、登録側が、申込情報を入力するための申込情報入力画面を提供するステップと、申込側が入力端末に申込情報入力画面を表示し、申込情報を入力するステップと、入力された申込情報の一部と画面に付与され画面では不可視のユニーク情報を暗号化するステップと、前記暗号化情報を光学読取コードに変換して入力画面に表示するステップと、光学読取コード化情報を含む申込情報を記録媒体にプリントするステップと、プリントされた申込書を登録側に送付するステップと、登録側が確認端末の光学読取手段によって送付された申込書の光学読取コード化情報を読み取って入力画面を再現し、申込情報を確認する際に、画面に表示されたユニーク情報と、申込書にプリントされたユニーク情報を照合することを特徴とするものである。
【０００７】
また、請求項２に記載の発明は、請求項１に記載の発明において、入力画面に付与されるユニーク情報は、画面に付与されるユニーク情報と、日付情報の何れかまたは両方で、申込情報入力画面には表示されないことを特徴とするものである。
【０００８】
また、請求項３に記載の発明は、請求項２に記載の発明において、入力画面に付与されるユニーク情報は、記録媒体の所定の位置に可読な文字情報としてプリントされることを特徴とするものである。
【０００９】
また、請求項４に記載の発明は、請求項１〜３何れか１項に記載の発明において、光学読取コードは、二次元コードであることを特徴とするものである。
【発明の効果】
【００１０】
１）請求項１に記載のように、電子フォームによる申込情報入力画面を提供し、申込側における申込情報の入力時の表示画面での改竄による成りすましを防止する申込書の申し込み・登録方法であって、登録側が、申込情報を入力するための申込情報入力画面を提供するステップと、申込側が入力端末に申込情報入力画面を表示し、申込情報を入力するステップと、入力された申込情報の一部と画面に付与され画面では不可視のユニーク情報を暗号化するステップと、前記暗号化情報を光学読取コードに変換して入力画面に表示するステップと、光学読取コード化情報を含む申込情報を記録媒体にプリントするステップと、プリントされた申込書を登録側に送付するステップと、登録側が確認端末の光学読取手段によって送付された申込書の光学読取コード化情報を読み取って入力画面を再現し、申込情報を確認する際に、画面に表示されたユニーク情報と、申込書にプリントされたユニーク情報を照合することによって、申込情報入力画面が第三者に盗用され不正に申し込まれた申込書は、ユニーク情報の照合によって、不正が発見され、少なくとも不正な申込情報がそのまま登録される被害を防ぐことができる。
２）また、請求項２，３に記載のように、請求項１に記載の発明において、入力画面に付与されるユニーク情報は、画面に付与されるユニーク情報と、日付情報の何れかまたは両方で、申込情報入力画面には表示されず、プリント媒体の所定の位置に可読な文字情報として表示されることによって、登録側では、二次元コードから変換された情報とユニーク情報を照合することによって、確認端末の表示画面上で不正を発見することができる。
３）また、請求項４に記載のように、請求項１〜３何れか１項に記載の発明において、光学読取コードは、二次元コードであることによって、狭い面積の中で多くの文字情報が表現可能で、また、撮像装置で読み取ることができるため、容易にシステムを構築することができる。
【発明を実施するための最良の形態】
【００１１】
以下、図面を参照して、本発明の申込書の申し込み・登録方法について説明する。
以下の説明では、本発明の申込書の申し込み・登録方法について、クレジットカードの会員申込書の申し込み・登録方法の例で説明する。
図１は、本発明の申込書の申し込み・登録方法を実行するための装置について説明するためのブロック図，図２は、申込情報入力画面の一例について説明するための図，図３は、申込情報の入力終了直後の、申込情報入力画面の一例について説明するための図，図４は、プリンタによってプリントされ、金融機関に登録された登録印が押捺された申込書の一例について説明するための図，図５は、登録側の確認端末に表示された申込情報の一例について説明するための図，図６は、本発明の申込書の申し込み・登録手順の一例について説明するための図，である。
【００１２】
図１を参照して、本発明の申込書の申し込み・登録方法を実行するための装置について説明する。
まず、クレジットカードの会員申込書の申込情報入力画面を提供するクレジットカード会社、または、関連する会社の登録側装置１００として、入力画面を配信するサーバ１，申込情報を確認する確認端末１２，確認端末に接続され、光学読取コードを読み取る光学読取装置１３（以下、撮像手段という。）が準備される。
サーバ１は、インターネットを介して入力端末の表示部に申込情報入力画面を配信する。
確認端末１２に接続された撮像装置１３は、郵便や、配送サービス等の送付手段（以下、単に郵送という。）によって届けられた申込書の光学読取コード（以下、二次元コードという。）を読み取って、確認端末で照合されるべき申込情報，ユニーク情報，それに、画面コード等の情報を確認端末１２に送信する。
確認端末１２の入力手段は、画面コードによって、確認端末１２または上位機種の記憶部に格納されている申込書入力画面フォーマットデータを読み出し、確認端末の表示部に表示する。
次に、申込情報を各表示枠に表示し、暗号化され、記号等で表示された申込情報を復号鍵、または、秘密鍵によって復号し画面の表示枠に文字情報として表示する。
【００１３】
一方、クレジットカード会社に入会を申し込む申込側装置２００として、少なくとも、入力手段，表示手段，送受信手段を有する入力端末２と、入力端末２に無線または有線で接続されて、申込書等をプリントするためのプリンタ３が準備される。
このプリンタ３は、フレキシブルディスクなどの記録媒体読取装置を伴ったスタンドアロン型のプリンタであってもよい。
【００１４】
入力端末２の表示部に表示された申込書入力画面フォーマットの入力枠の中に氏名，住所，電話番号，メールアドレス，暗証番号，指定した引落し口座の金融機関名，預金の種別，口座番号を入力する。
申込書入力画面フォーマットは、インターネットを介してクレジットカード会社のホームページから読み出しても、フレキシブルディスクなどの記録媒体に記録された申込書入力画面フォーマット，二次元コード変換プログラム，暗号鍵，その他必要なプログラムを読み出して申込書情報として入力端末に表示してもよい。
入力が終わったら、入力済み画面をプリンタ３でプリントする。
プリントした申込書の捺印欄に前述の金融機関に登録した印鑑で押捺する。
郵送控えを残すために２枚プリントしても、１枚プリントしてコピーをとってもよい。
上記捺印された申込書は、クレジットカード会社、または、関連会社に郵送される。
【００１５】
図２を参照して、申込情報入力画面の一例について説明する。
クレジットカード会員の申込情報入力画面２０は、例えば、図２のようになっていて、郵送される申込書フォーマットと、申込情報入力のための入力画面フォーマットが略同一になっている。
申込情報入力画面の右下部分には、プリントされた申込書に捺印できるように捺印欄２０７が設けられ、表示されている。
申込情報入力画面２０の複数の入力枠には、それぞれプログラムが組み込まれており、入力された情報の扱い方を指示している。
例えば、本実施の形態では、暗証番号入力枠２０５，引落し口座情報入力枠２０６の口座番号入力枠にはプリントアウトの際のマーク表示プログラムなどが組み込まれ、入力枠にはすべて暗号化プログラムが組み込まれている。
また、画面には表示されないが、ユニーク情報である、画面コード表示枠２０９，日付コード表示枠２１０にも暗号化プログラムが組み込まれている。
上記に対して、氏名入力枠２０１，住所入力枠２０２，電話番号表示枠，メールアドレス表示枠，金融機関名表示枠，支店名表示枠などには文字表示プログラム、および、暗号化プログラムが組み込まれている。
そのほか、各入力枠には、申込情報が登録される際のファイルコード等が組み込まれて、登録の際に登録側の所定のファイルに格納されるようになっている。
【００１６】
申込情報の入力が終わり、入力終了ボタン２１を押すと、ボタンに組み込まれたプログラムによって各入力枠に入力された情報は一部、または、全て暗号化されて後述する二次元コードに変換される。
【００１７】
利用代金が利用者の引落し口座から引き落とすことができるように、プリントされた申込書の捺印欄には登録印で捺印され、クレジットカード会社またはその関連会社に郵送される。
【００１８】
図３を参照して、申込情報の入力終了直後の、申込情報入力画面の一例について説明する。
氏名入力枠２０１には「日本太郎」，住所入力枠２０２には「東京都新宿区○○町一丁目１２３番地」，電話番号入力枠２０３には「０３−１２３４−５６７８」，メールアドレス入力枠２０４には「ｎｔａｒｏ＠ａｂｃ．ｎｅ．ｊｐ」，暗証番号入力枠２０５には「１２３４５６」，引落し口座情報入力枠２０６には「ｘｙｚ（銀行）新宿（支店）」，預金の種類として「普通」，口座番号として「５６７８９９」，の各入力情報が入力されている。
入力終了ボタン２１が押されると、画面には表示されていないが、ユニーク情報、即ち、画面コード「１３５７９２４６８」２０９，日付コード「０４／１２／０１／１３０３」２１０（２００４年１２月１日１３時３分を表す。）が画面の入力情報に貼付される。
また、それぞれの入力枠に入力された入力情報に入力枠コードが貼付され、所定の順番で並べられた後、上記ユニーク情報が貼付されて暗号鍵によって暗号化される。
暗号化された入力済み情報には電子署名が貼付される場合もある。
【００１９】
更に、暗号化された情報が光学読取コードの一種である二次元コード２０８に変換され、申込情報入力画面２０の右中央に表示される。
【００２０】
光学読取コードとして二次元コードのほかに水平方向にのみ情報を有するバーコードがある。
二次元コードは、水平，垂直方向に情報を有し、バーコードの数十倍〜数百倍の情報量を有する。
光学読取コードは、赤外線読取装置や、デジタルカメラなどの光学読取手段，撮像手段によって読み取ることができ、多くの分野で利用されている。
二次元コードには、データコード，マキシコード，ＣＰコード，ＱＲコードなどの種類がありそれぞれに特徴を持っている。
図に示すコードは、ＱＲコードで最大データ量として、英数字の場合は１５００文字強、漢字の場合は６００文字強を表現することができる。
【００２１】
図４を参照して、プリンタによってプリントされ、登録印で捺印された申込書の一例について説明する。
図でわかるように、暗証番号入力枠，口座番号入力枠以外の入力情報は、文字情報として表示されている。
また、申込情報入力画面には表示されていなかったユニーク情報として、画面コード２０９と、日付コード２１０が文字情報でプリントされている。
暗証番号，口座番号を「＊」で表示した理由は、郵送途中で起こりうる漏洩，改竄から個人情報を護るためである。
このような表示分けは、それぞれの入力枠に組み込まれたプログラムによって実行される。
捺印欄２０７には、通常、捨印として、もう1個捺印される。また、クレジットカード会社によっては同一の紙片を残すために２枚提出を要請する場合がある。
金融機関登録印鑑で捺印された上述の申込書４は、クレジットカード会社、または、その関連会社に郵送される。
【００２２】
図５を参照して、登録側の確認端末に表示された申込情報の一例について説明する。
確認端末の入力手段は、郵送された申込書の二次元コードを入力端末に接続された撮像手段によって読み取る。
入力画面フォーマットと同じ表示画面フォーマットが、確認端末、または、その上位機種の表示画面フォーマット収納ファイルから読み出され、図５に示すように全ての入力情報がそれぞれの表示枠に表示される。
最初、暗証番号表示枠２０５と、口座番号表示枠２０６には、申込情報が「＊」で表示されているが、確認ボタンが押されたことによって全て文字情報に変換される。
これは、確認ボタン２２に組み込まれた復号鍵（秘密鍵）によって実行される。
【００２３】
全て文字情報で表示された表示枠、氏名表示枠２０１，住所表示枠２０２，電話番号表示枠２０３，メールアドレス表示枠２０４，引落し口座情報入力枠２０６の口座番号以外の入力情報，画面コード表示枠２０９，日付コード表示枠２１０に表示された表示内容と郵送された申込書のプリントされた表示内容が完全に一致しているか確認される。
入力の方法に誤りがあったり、入力ミスがあると入力手段によって修正される。
確認作業が終わったら、登録ボタン２３が押されて申込情報が登録される。
【００２４】
申込書にプリントされている二次元コード２０８が他の入力端末で表示されたもののコピーだとすると、郵送された申込書にプリントされた、少なくとも、日付コード表示枠２１０に表示された表示内容とプリントされた日付情報が内容的に一致しないはずである。
即ち不正に作成された二次元コードは、同一の画面を使用したにせよ、入力を終えた時間までは一致しない。また、他のアプリケーションを利用して二次元コードを作成してコピーを貼付しても画面コードが一致しない。
このように、二次元コードに変換する利便性の欠点を保管する意味で、照合情報としてユニーク情報を付加させる。
【００２５】
図６を参照して、本発明の申込書の申し込み・登録手順の一例について説明する。
サーバ１は、インターネット上に申込情報入力画面を配信する（ステップ１：以下、Ｓ１という。）。
入力端末２は、入力端末２の表示部に申込情報入力画面を表示する（Ｓ２）。
入力端末２の入力手段によって、申込情報を入力する（Ｓ３）。
入力端末２の入力手段は、入力終了ボタンを押して、入力された申込情報の一部を暗号化し、ユニーク情報と一緒に、二次元コードに変換する（Ｓ４）。
申込書をプリンタによってプリントする（Ｓ５）。
プリントされた申込書の捺印欄に金融機関に登録している印鑑で捺印し、クレジットカード会社、または、その関連会社に郵送する（Ｓ６）。
【００２６】
登録側では、郵送された申込情報を受け取る。
確認端末でプリント情報を確認するために、プリントされた二次元コードを撮像手段で読取り確認端末の表示部に文字情報として表示する（Ｓ７）。
暗号化されている情報を復号する（Ｓ８）。
郵送された申込情報と、確認端末の表示部に表示された申込情報を照合し、決められたとおりに入力されているか確認する（Ｓ９）。
郵送されたユニーク情報と、確認端末の表示部に表示されたユニーク情報を照合し、一致しているか確認する（Ｓ１０）。
入力ミスが在れば入力手段によって修正し、確認作業が終わったら、登録ボタンを押して申込情報を登録する（Ｓ１１）。
【産業上の利用可能性】
【００２７】
申し込みの際に、署名や、捺印を必要とする申込書の申し込み・登録に利用できる。
【図面の簡単な説明】
【００２８】
【図１】本発明の申込書の申し込み・登録方法を実行するための装置について説明するためのブロック図である。
【図２】申込情報入力画面の一例について説明するための図である。
【図３】申込情報の入力終了直後の、申込情報入力画面の一例について説明するための図である。
【図４】プリンタによってプリントされ、金融機関に登録された登録印が押捺された申込書の一例について説明するための図である。
【図５】登録側の確認端末に表示された申込情報の一例について説明するための図である。
【図６】本発明の申込書の申し込み・登録手順の一例について説明するための図である。
【符号の説明】
【００２９】
１      サーバ
２      入力端末
３      プリンタ
４      申込書（郵送物）
１２    確認端末
１３    光学読取装置，撮像手段
２０    申込情報入力画面
２１    入力終了ボタン
２２    確認ボタン
２３    登録ボタン
４１    印影
１００  登録側装置
２００  申込側装置
２０１  氏名入力枠，氏名表示枠
２０２  住所入力枠，住所表示枠
２０３  電話番号入力枠，電話番号表示枠
２０４  メールアドレス入力枠，メールアドレス表示枠
２０５  暗証番号入力枠，暗証番号表示枠
２０６  引落し口座情報入力枠
２０７  捺印欄
２０８  二次元コード
２０９  画面コード，画面コード表示枠
２１０  日付コード，日付コード表示枠
【図１】
2006146334.tif 000003
【図２】
2006146334.tif 000004
【図３】
2006146334.tif 000005
【図４】
2006146334.tif 000006
【図５】
2006146334.tif 000007
【図６】
2006146334.tif 000008